(57)【要約】      （修正有）【課題】着用者に固定して着用するエプロンタイプの放射線防護衣であって、着用の際に煩わしさを伴わない放射線防護衣を提供する。【解決手段】前身頃２と後身頃３からなり、後身頃３に設けた左右１対の帯状体８Ｌ，８Ｒを設けてなるエプロンタイプの放射線防護衣１の前記後身頃の下端近傍に、放射線防護衣１が垂直位にあっても捻れの発生や垂下することなく、着用時において重力に抗してその下端を着用者の左右のそれぞれあるべき側に保持し得る剛性を持った左右一対の帯状体８Ｌ，８Ｒを設ける。【選択図】図３
0003150930.tif 000002
【実用新案登録請求の範囲】
【請求項１】
(i) 少なくとも着用者の肩部と胸部及び腹部から膝辺りまでを覆い、放射線遮蔽材により形成された前掛部からなる前身頃と、
(ii) 少なくとも着用者の肩部と、該肩部に連なる背当部とからなる後身頃とを、襟ぐり及び袖ぐりの部分を除いて一体に形成してなる放射線防護衣であって、
前記後身頃の左右の背当部の下端には、前記放射線防護衣が垂直位にある場合に捻れの発生又は垂下することなく、着用時において重力に抗してその下端を着用者の左右のそれぞれあるべき側に保持し得る剛性をもった左右一対の帯状体が設けられていることを特徴とする放射線防護衣。
【請求項２】
前記帯状体が背面において重力に抗して相互に交差した状態を保持していることを特徴とする請求項１に記載の放射線防護衣。
【請求項３】
前記帯状体は前記左右の背当部からそれぞれ延設されていることを特徴とする請求項１又は２に記載の放射線防護衣。
【請求項４】
前記帯状体は前記左右の背当部の下端においてそれぞれ固定手段により取り付けられていることを特徴とする請求項１又は２に記載の放射線防護衣。
【請求項５】
前記帯状体の周端部の少なくとも一部が補強材により縁取りされている、及び/又は前記帯状体の少なくとも片面に補強材が積層されている、ことを特徴とする請求項１〜４のいずれか１項に記載の放射線防護衣。
【請求項６】
前記補強材がラバーシート、合成樹脂製のワイヤーのいずれか少なくとも一つからなることを特徴とする請求項５に記載の放射線防護衣。
【考案の詳細な説明】
【技術分野】
【０００１】
本考案は医療分野におけるＸ線撮影時の技術者や、原子力発電所等での炉内作業、理工学分野におけるアイソトープ取扱い作業等、放射線被曝を受ける可能性のある場所での作業者を、Ｘ線、低エネルギーのγ線、β線等の放射線から保護するために使用される、エプロンタイプの放射線防護衣に関する。
【背景技術】
【０００２】
放射線防護衣は、鉛、鉛化合物、タングステン、スズ等の重金属を主材とする放射線遮蔽シート、またはその積層体の表面に合成樹脂、繊維、ゴム、又はこれらの複合体からなるシートを被覆した放射線遮蔽材の裁断片を所定の形状に縫製して、エプロン、コート、スカート、マント等の身体用衣としたものである（例えば特許文献１、２等参照）。
【０００３】
この中、エプロンタイプの放射線防護衣は、前記の放射線遮蔽材を着用者の前面を覆い得る形状に裁断された前掛け部を、その腰部に設けた帯状体で着用者の腰部に巻きつけて固定したり、該前掛け部の上端に設けた帯状体で着用者の首から吊るして使用されるタイプのものの外に、例えば図６、７に例示のように、前掛け部となる前身頃と着用者の背面部の少なくとも一部を覆う後身頃とを、襟ぐり及び袖ぐりの部分を除いて一体に形成するとともに、後身頃の左右に設けられた１対の帯状体を着用者の背面で交差させて腰部に巻きつけて固定させるタイプのものが使用されている。
【０００４】
図６は従来のエプロンタイプの放射線防護衣の一例を後からみた斜視図である。本例の放射線防護衣１０１は、放射線遮蔽材からなり、着用者の前面を覆い、襟ぐり１０５、及び袖ぐり１０６、１０６を有する前身頃１０２と、肩部１０４、１０４と、着用者の背部、及び左右両側を覆い、中央付近で左右に分離された後身頃１０３とを縫製するなどして一体化してエプロンタイプの身体用衣に形成してなり、後身頃１０３の両側部における着用者の腰部近傍にはそれぞれベルト状の帯状体１０８Ｌ、１０８Ｒが取り付けられ、後身頃１０３の左右の背当て部１０７、１０７は幅広で、着用時には背面で左右の背当て部１０４、１０４が重なるようになっている。
【０００５】
着用者は後身頃１０３の左右に分離された部分を左右に開き、襟ぐり１０５に頭部（顔部分）を挿通するとともに、左右の袖ぐり１０６、１０６に両腕を挿通した後、幅広になっている後身頃１０３の左右の肩当て部１０４、１０４を背部において重ね合わせ、左右の帯状体１０８Ｌ、１０８Ｒを背面において交差させ、それぞれの先端部を着用者の胴まわりに巻きつけるようにしながら前面（前身頃１０２）側の係止手段１１９、１１９により、放射線防護衣１０１を着用者の腰部近傍に固定させるようになっている。
【０００６】
また、図７は従来のエプロンタイプの他の放射線防護衣を後からみた斜視図である。本例の放射線防護衣２０１は、図６に例示の放射線防護衣１０１と比較して、後身頃２０３における左右の肩当て部２０７、２０７の横幅がやや狭いことと、左右のベルト１０８Ｌ、１０８Ｒに代えて、後身頃２０３の左右の肩当て部２０７、２０７から延設された幅広の帯状体２０８Ｌ、２０８Ｒが設けられている点を除き、デザイン的にも、着用の仕方や機能的な面に関しても類似している。
【０００７】
ところで、従来のエプロンタイプの放射線防護衣は、図６、７に例示したように前掛け部（前身頃）と着用者の背面部の少なくとも一部を覆う後身頃とからなり、後身頃に左右一対の帯状体が設けられていて、この帯状体はその前身頃、及び後身頃の表面生地と同様に、例えば合成皮革等の柔軟な素材で形成されているので、その自重によりほぼ真下に垂れ下がり、その際に捻れが発生する場合が多い。
そのため着用時に着用者が襟ぐりに頭部を通し、袖ぐりに両腕を通した状態（すなわち、放射線防護衣が垂直位にある場合）では、着用者の左手側の背面には左側の帯状体が垂下しており、右手側の背面には右側の帯状体がそれぞれ捻れた状態で垂下している。
【０００８】
そのため、着用者がこのような放射線防護衣の襟ぐり及び袖ぐりに、頭部及び両腕を通して装着し、次いで、両手で左右の帯状体を背面において交差させ、それぞれ左右反対側の腰部に巻き付けるようにして固定するためには、先ず背面において両腕を交差させて左手で右側に垂下している右側の帯状体を、また、右手で左側に垂下している左側の帯状体をそれぞれ掴んで、背面で左右の帯状体を交差させ、反対側に引っ張りながらそれぞれの腰部に固定する必要があった。
また、帯状体が捻れた状態で垂下している場合には更にそれぞれの手で帯状体の捻れをも修復させ、その表裏面を後手で確認してから前記のそれぞれの腰部に固定する操作を行う必要があった。
このように、着用者は左右両側に垂下しているベルトや帯状体の捻れを修復させ、両腕を背面において交差させ、左右の帯状体をそれぞれ反対側の手でもって掴まなければならないところから、このようなエプロンタイプの放射線防護衣の着用が煩わしく、特に、機能上重量の重い放射線防護衣を緊急に装着しなければならないような場合には支障を来たし、その改善がのぞまれていた。
【先行技術文献】
【特許文献】
【０００９】
【特許文献１】実用新案登録第３１２３６５８号公報
【特許文献２】特開２００４−７７１７０号公報
【考案の概要】
【考案が解決しようとする課題】
【００１０】
本考案は前記の点に鑑みてなされたものであり、前身頃と後身頃からなり、後身頃には着用者の身体に固定するための左右一対の帯状体を有し、左右の帯状体を背面で交差させて着用する場合にも、着用するのに煩雑さを伴わないエプロンタイプの放射線防護衣を提供することを課題とする。
【課題を解決するための手段】
【００１１】
本考案者等は下記（１）〜（７）の構成を採用することによって上記課題の解決を可能にした。
（１） (i) 少なくとも着用者の肩部と胸部及び腹部から膝辺りまでを覆い、放射線遮蔽材により形成された前掛部からなる前身頃と、
(ii) 少なくとも着用者の肩部と、該肩部に連なる背当部とからなる後身頃とを、襟ぐり及び袖ぐりの部分を除いて一体に形成してなる放射線防護衣であって、
前記後身頃の左右の背当部の下端には、前記放射線防護衣が垂直位にある場合に捻れの発生又は垂下することなく、着用時において重力に抗してその下端を着用者の左右のそれぞれあるべき側に保持し得る剛性をもった左右一対の帯状体が設けられていることを特徴とする放射線防護衣。
（２） 前記帯状体が背面において重力に抗して相互に交差した状態を保持していることを特徴とする前記（１）に記載の放射線防護衣。
（３） 前記帯状体は前記左右の背当部からそれぞれ延設されていることを特徴とする前記（１）又は（２）に記載の放射線防護衣。
（４） 前記帯状体は前記左右の背当部の下端においてそれぞれ固定手段により取り付けられていることを特徴とする前記（１）又は（２）に記載の放射線防護衣。
（５） 前記帯状体の周端部の少なくとも一部が補強材により縁取りされている、及び/又は前記帯状体の少なくとも片面に補強材が積層されていることを特徴とする前記（１）〜（４）のいずれかに記載の放射線防護衣。
（６） 前記補強材がラバーシート、合成樹脂製のワイヤーのいずれか少なくとも一つからなることを特徴とする（５）に記載の放射線防護衣。
【考案の効果】
【００１２】
本考案の放射線防護衣は、後身頃の左右に、自重によって垂下しない程度の剛性を有する帯状体が背面のほぼ中央において互いに交差する方向、もしくは下方に向けて取り付けられているので、該帯状体に捻れや折れ曲がり等が発生することがなく、また、特に帯状体が背面のほぼ中央において互いに交差する方向に取りつけられているタイプのものでは、装着してから左右の帯状体を背面において交差させてそれぞれ反対側の腰部に固定する際にも、自らの両腕を背面において交差させて左右反対側の帯状体を掴みにゆく煩わしさがなく、単に左右それぞれの側の腕で同じ側に垂下している帯状体を掴み、背面で交差させることなくそのまま両側の腰部に巻き付けながら身体に固定することができるので、着衣の際の煩雑さが解消され、短時間で着衣することができる。
【図面の簡単な説明】
【００１３】
【図１】本考案の放射線防護衣の一実施例を例示する背面側（後身頃）の斜視図である。
【図２】図１に例示の放射線防護衣の正面側（前身頃）の斜視図である。
【図３】本考案の放射線防護衣の帯状体を示す、図1のＡ−Ａ断面図である。
【図４】本考案の放射線防護衣の他の実施例を例示する背面側（後身頃）の斜視図である。
【図５】本考案の放射線防護衣のさらに別の実施例を例示する背面側（後身頃）の斜視図である。
【図６】従来の放射線防護衣の一例を例示する背面側の斜視図である。
【図７】従来の放射線防護衣の他の一例を例示する背面側の斜視図である。
【考案を実施するための形態】
【００１４】
本考案に係る放射線防護衣は、少なくとも着用者の肩部と胸部及び腹部から膝辺りまでを覆い、放射線遮蔽材により形成された前掛部からなる前身頃と、少なくとも着用者の肩部と、該肩部に連なる背当部とからなる後身頃とを、襟ぐり及び袖ぐりの部分を除いて一体に形成してなり、かつ、前記後身頃の左右の背当部の下端には、該放射線防護衣が垂直位にある場合に捻れの発生やだらりと垂下することがなく、着用時において重力に抗してその下端を着用者の左右のそれぞれあるべき側に保持し得るだけの剛性が付与された左右一対の帯状体が設けられていることを特徴とする。
【００１５】
そのため左右一対の帯状体が、それぞれ取りつけられた側と同じ側の下方、又は斜め下方向に向かって延伸する方向に設けられた場合であっても、また背面で互いに交差する方向に向かって延伸する方向に設けられた場合であっても、放射線防護衣を装着して該防護衣が垂直位にある場合、各帯状体は捻れたり、垂れ下がって着用者の背中に密着することがなく、各帯状体の下端部分が着用者の左右の側面、又は左右の背面に位置するように保持されるので、着用者は左右の両腕を背面側に差し出しすだけで、帯状体を簡単に掴みとることができるため、着用が容易である。
【００１６】
以下、実施例により図面を用いて本考案を説明する。
図１は本考案に係る放射線防護衣の一実施例を例示する背面側の斜視図であり、図２はその正面側の斜視図である。
本考案に係る本例の放射線防護衣１は、放射線遮蔽能を有する放射線遮蔽材からなっていて、少なくとも着用者の左右の肩部４、４と、胸部及び腹部から膝辺りまでを覆う前掛部と、左右の袖ぐり６、６から前記前掛部の膝辺りまで至る側部とからなり、着用時に着用者の首の位置となる襟ぐり５が前記前掛部の頂部中央に設けられるとともに、着用者の両腕を通すための左右の襟ぐり６、６が設けられてなる前身頃２と、少なくとも着用者の左右肩部４、４と、袖ぐり５から着用者の左右両脇腹部に至る側部と、前記肩部４、４に連なる左右の背当部７、７とからなり、襟ぐり５の部分から左後身頃と右後身頃とに左右分離された後身頃３とを、左右肩部４、４と前記両脇部において連なるように一体に形成するとともに、前記後身頃３における左右の背当部７、７から後見頃３の背面において互いに交差する方向にそれぞれ延設される左側帯状体８Ｌ、及び右側帯状体８Ｒとを設けてなる。
【００１７】
着用に際しては、後身頃３が左右に分離されている箇所から左右に開いて襟ぐり５に頭部を、また、左右の襟ぐり６、６から左右の腕を貫通させ、両腕を背面に回して背面で両腕を交差させることなく、それぞれ左手で左側に延びている帯状体８Ｒを、右手で右側に延びている帯状体８Ｌを掴み、そのまま前面に引き寄せながら左側帯状体８Ｌ、及び右側８Ｒを着用者の左右腰部に巻き付け、前身頃２の両腰部近傍に設けた係止手段６、６により固定することによって装着が完了する。
【００１８】
図２は図１に例示の放射線防護衣１の背面で交差している帯状体８Ｌ、８Ｒを着用者の両脇、もしくは腰部を巻き付けるようにして前身頃２に固定した状態を示す正面側からみた斜視図である。背面から着用者の脇下部、もしくは腰部を巻き付けるようにして正面側にまわされた帯状体８Ｌ、８Ｒは、例えば、帯状体８Ｌ、８Ｒの裏面、及び前身頃２の前面側に設けられた雌雄の面ファスナーなどの係止手段６によって前身頃２に脱着可能な状態で固定される。係止手段６、６としては、例えば前記のように左右の帯状体８Ｌ、８Ｒのそれぞれの裏側、及び前身頃の腰部近傍に雌雄一組の面ファスナーを設けるとか、帯状体８Ｌ、８Ｒにそれぞれ釦孔を設け、前身頃の腰部近傍に釦を設ける等の係止手段を設けておき、帯状体８Ｌ、８Ｒを介して放射線防護衣１を着用者に固定する。
【００１９】
左右の帯状体８Ｌ、８Ｒは、帆布、ナイロン布、厚紙、木綿のキャンバス等からなる芯材の周端部に帯状体８Ｌ、８Ｒの表面素材生地よりも剛性の大きい厚手のラバーシートや、ポリプロピレン等のプラスチック製ワイヤー又はピアノ線からなる補強材８ａを固定しておき、その表面全体を合成皮革や、塩化ビニル樹脂製シート等の柔軟性を備えた素材からなる表面生地で縫製する等してなる。また、前記のラバーシートやプラスチック製のワイヤーに代えて、形状記憶合金等の剛性素材を用いても良い。
なお、前記の補強材８ａは芯材を表面生地で被覆した後にその周端部を縁取りしたり、帯状体８Ｌ、８Ｒの表面及び/又は裏面に積層し縫製するなどして固定してもよい。
【００２０】
このように帯状体８Ｌ、８Ｒの周端部や帯状体８Ｌ、８Ｒの全体を表面素材生地よりも剛性の大きい素材で補強しておくことによって、図１に示すように、左右の帯状体８Ｌ、８Ｒはその自重により垂下したり捻れが発生したりすることがなく、放射線防護衣１が垂直位にある場合でも背面において交差した状態の形状が維持されており、着用に際して着用者が後身頃３側から襟ぐり５を通して頭部（顔部分）を挿通し、袖ぐり６、６から両腕を挿通した状態では、左側帯状体８Ｌは着用者の背面右側に、また右側帯状体８Ｒは着用者の左側背面にそれぞれ位置しているので、着用者は両腕を背面で交差させることなく、左右の腕を単に下向きにおろすだけで容易に左手で帯状体８Ｒを、また、右手で帯状体８Ｌを掴んでそのまま前方に引っ張りながら腰部に巻き付けるようにして、これらを前身頃２の係止部６に固定することができる。
【００２１】
図３は図１に例示の本考案の放射線防護衣１の左帯状体８ＬにおけるＡ−Ａ面の拡大断面図である。左側帯状体８Ｌと右側帯状体８Ｒはそれぞれ同一の素材で形成され、ほぼ同一の断面構造なので、その一方である左帯状体８Ｌについて説明する。
図３（ａ）はその一実施形態を示すもので、芯材９の両面を合成皮革などからなる表面生地１０、１０で挟持させ、その周端部に補強材８ａを配して縁取りし、帯状体８Ｌの端部において芯材９、表裏の表面生地１０、１０、及び補強材８ａを一体で縫製してなる。帯状体８Ｌの周端部を縁取りする補強材８ａは、必ずしも帯状体８Ｌの全周端部に配する必要はなく、捻れが生じたり、放射線防護衣１を垂直位にしたときにも左右の帯状体８Ｌ、８Ｒが背面において交差した状態を保持し得るだけの剛性を、帯状体８Ｌ、８Ｒに付与できる程度に配置しておけばよい。
【００２２】
芯材９としては帆布、ナイロン布、厚手の紙、画布などが使用され、表面生地１０、１０としては放射線遮蔽材を被覆している柔軟な前身頃２の表面生地と同様、天然繊維やポリエステル、ナイロン等の合成樹脂繊維を用いた織布、不織布、合成皮革（レザー）、あるいはそれらをポリエチレン、ポリ酢酸ビニル、エチレン−酢酸ビニル共重合体やエラストマー等で表面加工したもの、又はゴム等からなるシートが用いられる。また、本実施例の場合の補強材８ａとしてはラバーシートが用いられる。
帯状体８Ｌ、８Ｒの各端部に補強材８ａによる縁取り部を設けることにより、単に芯材９と柔軟な表裏の表面生地１０、１０とを積層してその周囲を縫製しただでは得られない剛性が帯状体８Ｌ、８Ｒに付与され、そのため捻れが生じたり、放射線防護衣１が垂直に吊り下げられた状態でも垂下することなく、背面において互いに交差した状態を保持することができる。
【００２３】
図３（ｂ）は帯状体８Ｌ、８Ｒの他の実施形態を示す断面図であり、本例における帯状体８Ｌ、８Ｒの形態は、芯材９の両端にそれぞれ補強材８ａとしてポリプロピレン製のワイヤを固定し、全体を柔軟な表面生地１０、１０で被覆した例である。
なお、帯状体８Ｌ、８Ｒは図３（ｃ）に例示したように、ラバーシート等からなるシート状の複数枚の補強材８ａ、８ａを積層し、その表裏両表面を柔軟な表面生地１０、１０で被覆するようにしてもよく、この場合も図３（ａ）、（ｂ）に例示したように補強材８ａの外に、さらに図３（ａ）、（ｂ）に例示のものと同様の芯材を積層しておいても良い。また、図３（ａ）、（ｂ）に例示の実施形態の外に、表面生地１０、あるいは芯材９としてプラスチック板、剛板等のエキスパンダー効果のある素材を用いても良い。
【００２４】
図４は本考案の他の実施例を示す放射線防護衣を背面からみた斜視図である。本例の放射線防護衣１１は、後身頃１３における左右両肩部１４、１４から連なる背部にそれぞれ背当部１７、１７が接合されており、一方の背当部１７（本例では右側の背当部）の裏面ともう一方の背当部１７（本例では左側の背当部）の表面にそれぞれ係止手段として面ファスナー１９を取り付けることによって、左右背当部１７、１７は左右肩部１４、１４とともに左右に開閉自在となっていて、この面ファスナー１９を介して左右の後身頃１３、１３の着脱（開閉）が可能となっている。
【００２５】
後身頃１３における左右両背当部１７、１７のそれぞれの先端部には左側帯状体１８Ｌ、及び右側帯状体１８Ｒが放射線防護衣１１の斜め下方向に向かって延設されており、左側帯状体１８Ｌ、及び右側帯状体１８Ｒの周端部の少なくとも一部分は、帯状体１８Ｌ、１８Ｒの素材よりも剛性の大きい補強材１８ａで補強されている。補強材１８ａが配設される場所やその素材は図３に例示した放射線防護衣１のものと同様である。
【００２６】
本例の放射線防護衣１１も、後身頃１３における帯状体１８Ｌ、１８Ｒが前記の補強材８ａによってそれ以外の部分に比べて剛性をより大きくしてあるので、着用に際して着用者が後身頃１３の背当部１７、１７の部分からを左右に解放し、襟ぐり１５、及び袖ぐり１６、１６から頭部及び両腕をそれぞれ挿通させて放射線防護衣１１を装着した状態では、図１、２に例示の放射線防護衣１と同様、帯状体１８Ｌ、１８Ｒは背面で交差していて、着用者の左側には右側の帯状体１８Ｒが、また、着用者の右側には左側の帯状体１８Ｌが垂下しているので、着用者は左右それぞれの側に垂下している帯状体１８Ｌ、１８Ｒを掴んでそのまま両腰部を巻き付けるようにして前身頃１２の腰部付近に設けられている係止手段により固定される。
このように、本例の放射線防護衣１１も、着用した際に左右の帯状体１８Ｌ、１８Ｒが着用者の背面で交差して捻れを生ずることなく着用者の両側に垂下しているので、装着後に帯状体１８Ｌ、１８Ｒを着用者の体に固定する操作に煩わしがなく簡便である。
【００２７】
図５は本考案のさらに別の実施例を示す放射線防護衣を背面からみた斜視図である。本例の放射線防護衣２１は、後身頃２３が袖ぐり２６から膝辺りまで至る前掛け部の側部まで一体に形成されている点と、前記の図１、４に例示の放射線防護衣のように帯状体を左右の背当部からそれぞれ延設するのではなく、前記の例のものよりも幅の狭いベルト状の左右帯状体２８Ｌ、２８Ｒを別途作製し、これを左右の背当部２７、２７の下端に糸で縫いつけたり、ハトメ等の固定手段により取り付けてなる以外は図１、４に例示した放射線防護衣１または１２とほぼ同様の実施形態の放射線防護衣である。
【００２８】
本例の放射線防護衣２２における帯状体２８Ｌ、２８Ｒも、図１に例示した放射線防護衣１の帯状体８Ｌ、８Ｒと同様に、剛性の大きい補強材２８ａでその周端部や少なくともその方面が補強されており、補強材２８ａが配設される場所やその素材は図１に例示した放射線防護衣１のものと同様である。
したがって、図４に例示した放射線防護衣１１と同様に、左右の帯状体２８Ｌ、２８Ｒには捻れの発生がなく、また、着用者が装着した際には既に背面で交差した状態で着用者の両側に垂下しているので、着用者は帯状体２８Ｌ、２８Ｒを身体に固定する場合にも背面で両腕を交差させて左右の帯状体２８Ｌ、２８Ｒを掴みにゆく必要がなく、そのまま左右両側に手を下ろし、下した左手でそのまま左側に垂下している右帯状体２８Ｒを、また、右手でそのまま右側に垂下している左帯状体２８Ｌをそれぞれ掴んで着用者の腰部を巻き付けながら前身頃２３に固定することができるので、その着用に煩わしさを伴わないことは、前記の図１、４に例示の放射線防護衣の場合と同様である。
【００２９】
図１〜５には、左右１対の帯状体が着用者の背面で交差する方向に設けられてなる放射線防護衣について例示したが、左右両肩当部から背面で交差しないで、例えばデザイン的には図７に例示のように、図３に示すような補強材を設けてその剛性を高める処置がなされた左右の帯状体を下方、もしくは斜め下方に向かって延設させておくことにより、着用したとき左右の帯状体は所定の方向に延伸した状態を保持していて、捻れたり折れ曲がった状態で垂れ下がって着用者の体に密着してしまうようなことがない。
そのため、着用すると左右の各帯状体はそれぞれ着用者のあるべき側（着用者の左右それぞれの手の位置）に位置しているので、そのままそれぞれの側の手で左右の各帯状体を掴んで、これを背面で交差させることなく着用者の身体に固定することができる。
【００３０】
本考案の放射線防護衣に用いられる放射線遮蔽材としては、放射線遮蔽機能を有する、従来と同様の例えば、鉛粉又は亜鉛化鉛、一酸化鉛、二酸化鉛、三酸化四鉛、四酸化二鉛、四酸化三鉛、塩基性珪酸塩、沃化鉛等の鉛化合物、更にまたタングステン、スズからなる重金属等をポリ塩化ビニル、塩化ビニル−アクリル酸エステル共重合体、ナイロン、ポリエステル、ポリ酢酸ビニル等の熱可塑性樹脂やウレタンゴム、未加硫ブチルゴム、スチレンブタジエンゴム等と混合し、必要に応じてさらに可塑材を添加した混合物をシート化してなる放射線遮蔽シート、またはその積層体で構成される。この放射線遮蔽シート、またはその積層体の表面には、物理的強度を増すために熱可塑性樹脂フィルムをラミネートしておいてもよい。
【００３１】
本考案の放射線防護衣の前身頃（前掛け部）は、前記の放射線防護材の両表面を天然繊維やポリエステル、ナイロン等の合成樹脂繊維を用いた織布、不織布、合成皮革（レザー）、あるいはそれらをポリエチレン、ポリ酢酸ビニル、エチレン−酢酸ビニル共重合体やエラストマー等で表面加工したもの、又はゴム等からなるシートで被覆してなる表面生地を所望の形状に裁断し、縫製することによって製造されるが、帯状体の部分以外の後身頃は、単に前記の表面生地のみ、又は適当な芯材の表面を前記の表面生地で被覆したものを所望の形状に裁断し、縫製することによって製造される。
また、本考案の放射線防護衣は、着用者の発汗による蒸れを緩和するため、前掛部や背当部等の裏側面（着用者と直接接する面）に、メッシュ状素材等の通気性を有する裏地材で被覆してもよい。
【産業上の利用可能性】
【００３２】
本考案の放射線防護衣は、前掛け部となる前身頃と、背当て部とを有し、着用者の身体に固定する帯状体を備え、着用者が装着してから該帯状体で着用者の身体に固定するようにした従来の類似のタイプのものに比べて着用操作に煩わしさがなく、医療分野や原子力発電所等での炉内作業、理工学分野におけるアイソトープ取扱い作業等に従事する放射線取扱者をＸ線、低エネルギーのガンマ線、ベータ線等の各種の放射線から保護するために使用されるエプロンタイプの放射線防護衣として有用である。
【符号の説明】
【００３３】
２、１２、２２、１０２、２０２      前身頃
３、１３、２３、１０３、２０３      後身頃
４、１４、２４、１０４、２０４      肩部
５、１５、２５、１０５、２０５      襟ぐり
６、１６、２６、１０６、２０６      袖ぐり
７、１７、２７、１０７、２０７      背当部
８Ｌ、１８Ｌ、２８Ｌ、１０８Ｌ、２０８Ｌ      左側帯状体
８Ｒ、１８Ｒ、２８Ｒ、１０８Ｒ、２０８Ｒ      右側帯状体
８ａ、１８ａ、２８ａ、２０８ａ      補強材
９      芯材
１０      表面生地
６、１９、２９、１１９      面ファスナー（係止手段）
【図１】
0003150930.tif 000003
【図２】
0003150930.tif 000004
【図３】
0003150930.tif 000005
【図４】
0003150930.tif 000006
【図５】
0003150930.tif 000007
【図６】
0003150930.tif 000008
【図７】
0003150930.tif 000009